(57)【要約】      （修正有）【課題】放送時間が重複する複数の番組の視聴予約を、状況に応じて柔軟に行う。【解決手段】複数の番組が利用者に予め選択され、前記複数の番組に対応するテレビジョン放送の選局動作が予め利用者によって予約される視聴予約機能つきのテレビジョン受像機であって、前記選択された複数の番組中に、放送時間帯が重複する２つの番組が存在するか否かを判定し、放送時間帯が重複する２つの番組が存在した場合に、前記２つの番組における優先順位を利用者に対して設定させる動作と、前記２つの番組が共に放送される時間帯において、前記２つの番組のうち前記優先順位の高い番組のテレビジョン放送を選択し受信させる動作と、を行わせる制御部を具備する。【選択図】図２
2013132000.tif 000002
【特許請求の範囲】
【請求項１】
テレビジョン放送される複数の番組が利用者に予め選択され、前記複数の番組に対応するテレビジョン放送の選局動作が予め利用者によって予約される視聴予約機能つきのテレビジョン受像機であって、
前記選択された複数の番組中に、放送時間帯が重複する２つの番組が存在するか否かを判定し、放送時間帯が重複する２つの番組が存在した場合に、前記２つの番組における優先順位を利用者に対して設定させる動作と、
前記２つの番組が共に放送される時間帯において、前記２つの番組のうち前記優先順位の高い番組のテレビジョン放送を選択し受信させる動作と、
を行わせる制御部を具備することを特徴とするテレビジョン受像機。
【請求項２】
前記制御部は、
前記２つの番組のうちの一方の番組の放送時間内において他方の番組が放送される場合に、前記優先順位に基づいて、前記一方の番組の放送時間内において受信するテレビジョン放送を切り替える動作を行わせることを特徴とする請求項１に記載のテレビジョン受像機。
【請求項３】
前記制御部は、
電子番組表（ＥＰＧ）情報に基づいた番組表を表示させ、前記複数の番組の選択を、前記番組表の中で利用者に番組を選択させることによって行わせることを特徴とする請求項１又は２に記載のテレビジョン受像機。
【請求項４】
前記制御部は、
前記選択された複数の番組中に放送時間の延長の可能性がある番組が存在する場合には、当該放送時間が延長されたものとして当該番組について放送時間帯が重複するか否かの判定を行うことを特徴とする請求項１から請求項３までのいずれか１項に記載のテレビジョン受像機。
【請求項５】
前記番組の画像と、前記優先順位の設定のために用いられる画像と、を表示する表示部を具備することを特徴とする請求項１から請求項４までのいずれか１項に記載のテレビジョン受像機。
【請求項６】
テレビジョン放送される複数の番組が利用者に予め選択され、前記複数の番組に対応するテレビジョン放送の選局動作が予め利用者によって予約される視聴予約機能つきのテレビジョン受像機の制御方法であって、
視聴を希望する複数の番組を利用者に選択させる視聴番組選択工程と、
当該視聴番組選択工程で選択された複数の番組のうち、放送時間帯が重複する２つの番組を見つける重複判定工程と、
前記放送時間帯が重複する２つの番組の各々の優先順位を利用者に設定させる優先順位設定工程と、
を具備することを特徴とするテレビジョン受像機の制御方法。
【請求項７】
前記視聴番組選択工程において、
電子番組表（ＥＰＧ）情報に基づいた番組表を表示し、当該番組表の中で利用者に番組を選択させることによって前記番組の選択を行うことを特徴とする請求項６に記載のテレビジョン受像機の制御方法。
【請求項８】
前記重複判定工程において、
放送時間の延長の可能性がある番組については、放送時間が延長されたものとして当該番組について放送時間帯の重複の判定を行うことを特徴とする請求項６又は７に記載のテレビジョン受像機の制御方法。
【発明の詳細な説明】
【技術分野】
【０００１】
本発明は、視聴する番組を予め予約することができる視聴予約機能付きのテレビジョン受像機及びその制御方法に関する。
【背景技術】
【０００２】
テレビジョン放送された番組をテレビジョン受像機で視聴する際に、視聴する番組を予め予約することができる視聴予約機能付きのテレビジョン受像機が知られている。特に、近年はテレビジョン放送の方式が従来のアナログ放送からデジタル放送に移行したため、電子番組表（ＥＰＧ）情報に基づいて番組表をテレビジョン受像機のディスプレイで表示させ、この番組表中における所望の番組を視聴者が選択することにより、この視聴予約は特に容易に行われる。視聴予約を予め行うことにより、時刻に応じてチャンネルを切り替える等の操作を行う必要が視聴者にとって不要となる。
【０００３】
また、放送される番組をリアルタイムで視聴するのではなく、これを録画してから再生して視聴することも一般に広く行われており、その録画予約を行う方法は、この視聴予約と同様である。特許文献１においては、こうした場合において、同時刻において放送される複数の番組を自動的に選択して録画することができる技術が記載されている。この技術においては、予約された複数の番組に優先順位が付与され、状況に応じて、優先度の高い番組から選択されて録画される。この状況とは、例えばテレビジョン放送用電波の受信状況や、予約された番組の開始時刻の変更状況等である。このため、所望の複数の番組のうち、例えば第１希望の番組の受信（録画）が良好に行われないと判断された場合には、代わって自動的に第２希望の番組が録画される。この技術によれば、例えば、所望の番組が何らかの理由で放送されなくなったり受信できなくなった場合に、自動的に第２希望以降の番組を録画することができた。
【０００４】
この録画予約方法は、視聴予約においても同様に適用できることは明らかである。すなわち、同様に視聴予約を行えば、視聴者は、自動的に適切に選択された番組を視聴することができる。
【先行技術文献】
【特許文献】
【０００５】
【特許文献１】特開２０１０−２３９３７４号公報
【発明の概要】
【発明が解決しようとする課題】
【０００６】
しかしながら、こうした場合でも、同一の時間帯で視聴できる番組の数は一つであり、放送時間が重複する複数の番組を共に視聴することはできない。これは、この重複する放送時間の長短によらない。例えば、異なる２つの放送局による２時間番組がそれぞれ存在し、これらの番組において重複する放送時間が２時間のうちのわずか１分だけであったとしても、視聴できるのはこれらのうちの一方の番組のみとなる。
【０００７】
このため、放送時間が重複する複数の番組の視聴予約を、状況に応じて柔軟に行うことは困難であった。
【０００８】
本発明は、かかる問題点に鑑みてなされたものであり、上記問題点を解決する発明を提供することを目的とする。
【課題を解決するための手段】
【０００９】
本発明は、上記課題を解決すべく、以下に掲げる構成とした。
本発明のテレビジョン受像機は、テレビジョン放送される複数の番組が利用者に予め選択され、前記複数の番組に対応するテレビジョン放送の選局動作が予め利用者によって予約される視聴予約機能つきのテレビジョン受像機であって、前記選択された複数の番組中に、放送時間帯が重複する２つの番組が存在するか否かを判定し、放送時間帯が重複する２つの番組が存在した場合に、前記２つの番組における優先順位を利用者に対して設定させる動作と、前記２つの番組が共に放送される時間帯において、前記２つの番組のうち前記優先順位の高い番組のテレビジョン放送を選択し受信させる動作と、を行わせる制御部を具備することを特徴とする。
本発明のテレビジョン受像機において、前記制御部は、前記２つの番組のうちの一方の番組の放送時間内において他方の番組が放送される場合に、前記優先順位に基づいて、前記一方の番組の放送時間内において受信するテレビジョン放送を切り替える動作を行わせることを特徴とする。
本発明のテレビジョン受像機において、前記制御部は、電子番組表（ＥＰＧ）情報に基づいた番組表を表示させ、前記複数の番組の選択を、前記番組表の中で利用者に番組を選択させることによって行わせることを特徴とする。
本発明のテレビジョン受像機において、前記制御部は、前記選択された複数の番組中に放送時間の延長の可能性がある番組が存在する場合には、当該放送時間が延長されたものとして当該番組について放送時間帯が重複するか否かの判定を行うことを特徴とする。
本発明のテレビジョン受像機は、前記番組の画像と、前記優先順位の設定のために用いられる画像と、を表示する表示部を具備することを特徴とする。
本発明のテレビジョン受像機の制御方法は、テレビジョン放送される複数の番組が利用者に予め選択され、前記複数の番組に対応するテレビジョン放送の選局動作が予め利用者によって予約される視聴予約機能つきのテレビジョン受像機の制御方法であって、視聴を希望する複数の番組を利用者に選択させる視聴番組選択工程と、当該視聴番組選択工程で選択された複数の番組のうち、放送時間帯が重複する２つの番組を見つける重複判定工程と、前記放送時間帯が重複する２つの番組の各々の優先順位を利用者に設定させる優先順位設定工程と、を具備することを特徴とする。
本発明のテレビジョン受像機の制御方法は、前記視聴番組選択工程において、電子番組表（ＥＰＧ）情報に基づいた番組表を表示し、当該番組表の中で利用者に番組を選択させることによって前記番組の選択を行うことを特徴とする。
本発明のテレビジョン受像機の制御方法は、前記重複判定工程において、放送時間の延長の可能性がある番組については、放送時間が延長されたものとして当該番組について放送時間帯の重複の判定を行うことを特徴とする。
【発明の効果】
【００１０】
本発明は以上のように構成されているので、放送時間が重複する複数の番組の視聴予約を、状況に応じて柔軟に行うことができる。
【図面の簡単な説明】
【００１１】
【図１】本発明の実施の形態となるテレビジョン受像機の構成を示す図である。
【図２】本発明の実施の形態となるテレビジョン受像機における視聴の具体的状況の第１の例である。
【図３】本発明の実施の形態となるテレビジョン受像機における視聴の具体的状況の第２の例である。
【図４】本発明の実施の形態となるテレビジョン受像機における視聴の具体的状況の第３の例である。
【図５】本発明の実施の形態となるテレビジョン受像機における視聴の具体的状況の第４の例である。
【図６】本発明の実施の形態となるテレビジョン受像機の制御方法において視聴予約を行う際のフローチャートである。
【発明を実施するための形態】
【００１２】
以下、本発明の実施の形態となるテレビジョン受像機及びその制御方法につき説明する。このテレビジョン受像機は、視聴予約機能付きのテレビジョン受像機であり、視聴を希望する番組の放送時刻に、自動的にこの番組を放送するテレビジョン放送用の電波を選局して受信する。これにより、予約後には、視聴者が選局動作を行うことなく、この番組を視聴することができる。
【００１３】
図１は、このテレビジョン受像機１０の構成を示す。このテレビジョン受像機１０においては、全体が制御部（ＣＰＵ）１１によって制御される。制御部１１は、放送受信部１２を制御して、テレビジョン放送用電波を選局して受信させ、画像信号、音声信号を復調し、表示部１３で出力させる。表示部１３においては、画像信号は例えば液晶ディスプレイで表示され、音声信号はスピーカで出力される。また、選局（チャンネルの選択）等の動作は、通常は利用者（視聴者）がリモコン送信機を制御することによって発信された制御用の赤外線信号を受光部（図示せず）が受信し、制御部１１にこの制御の内容を伝え、制御部１１が放送受信部１２を制御することにより行われる。
【００１４】
ただし、このテレビジョン受像機１０においては、視聴者が視聴予約を行うことも可能である。視聴を希望する番組の予約に際しては、テレビジョン放送用信号に付随して得られる電子番組表（ＥＰＧ）情報が用いられる。すなわち、制御部１１は、このＥＰＧ情報によって、視聴可能な番組表を表示部１３で表示させる動作を行う。利用者は、この番組表の中から所望の番組を選択することにより、視聴の予約を行うことができる。この操作も、例えばリモコン送信機を用いて行うことができる。また、視聴予約に関する情報は、不揮発性メモリで構成された記憶部１４に記憶される。
【００１５】
ここで、放送受信部１２が有するチューナの数は一つであるものとする。このため、ある時刻においてこのテレビジョン受像機１０が表示部１３で出力させることができる、すなわち、ある時刻において視聴することのできる番組は一つとなる。しかしながら、放送時間が重複する複数の番組の視聴を行いたい場合に、制御部１１は、選局動作を放送受信部１２に適宜行わせ、視聴する番組の選択を柔軟に行うことができる。以下にこの動作について説明する。
【００１６】
このテレビジョン受像機１０における視聴の予約の際には、重複する放送時間が存在する２つの番組が存在する場合には、一方の番組が基本番組として設定され、他方の番組が割り込み番組として設定される。このうち、優先順位が高いのは割り込み番組の方である。このため、基本番組と割り込み番組が重複している時間帯においては、基本番組の放送が継続している状態であっても基本番組は表示部１３で表示（視聴）されず、割り込み番組が表示される。割り込み番組が終了した時点でまだ基本番組が放送されていた場合、再度基本番組が表示される。すなわち、視聴対象を基本番組としながらも、基本番組の途中に割り込み番組を挿入した形で表示することができる。このテレビジョン受像機１０においては、視聴予約は番組単位で行われるものの、実際の表示は必ずしも番組単位とはならず、優先度に応じて柔軟に行われる。
【００１７】
以下、この場合の番組の視聴の具体的状況について具体的に４種類の例について説明する。
【００１８】
図２は、放送時間の長い番組と放送時間が短い番組を共に視聴する場合の視聴の具体的状況（第１の例）について示している。図２（ａ）は、時刻が７：００〜９：００の間における番組表中のチャンネルＡ、Ｂ、Ｃ、Ｄの４つの放送局における番組Ａ１、Ｂ１、Ｃ１、Ｄ１の関係を示す。ここで、番組Ａ１は７：００〜９：００にかけてＣＨ−Ａ（Ａ局）で放送されるバラエティ情報番組、番組Ｂ１はＣＨ−Ｂ（Ｂ局）で８：００〜８：１５にかけて放送されるドラマ、番組Ｃ１はＣＨ−Ｃ（Ｃ局）で８：３０〜８：５０にかけて放送されるニュース、番組Ｄ１はＣＨ−Ｄ（Ｄ局）で７：３０から９：００にかけて放送されるバラエティ番組である。このうち、利用者は、Ｄ１については視聴を希望しないが、Ａ１、Ｂ１、Ｃ１の視聴を希望しているものとする。図示されるように、Ａ１とＢ１はＢ１の放送時間帯全体、Ａ１とＣ１はＣ１の放送時間帯全体において、それぞれ重複している。これらの各時間帯においては、一方の番組のみを視聴することができる。
【００１９】
このため、制御部１１は、視聴予約された複数の番組の中に、放送時間帯に重複が存在する２つの番組があった場合には、一方を基本番組、他方を割り込み番組として利用者に設定させる。ここでは、番組Ａ１が基本番組とされ、Ｂ１とＣ１は割り込み番組とされるものとする。
【００２０】
この場合に表示部１３で表示される（視聴できる）番組の情報（視聴パターン）は、図２（ｂ）の通りとなる。ここでは、視聴されるべき番組が時刻毎に表示されている。すなわち、まず、基本番組であるＡ１のみが放送される７：００〜８：００においてはＡ１が表示部１３で表示される。次に、Ａ１とＢ１が重複して放送される８：００〜８：１５においては割り込み番組であるＢ１が表示される。次に、Ａ１のみが放送される８：１５〜８：３０においてはＡ１が再度表示される。次に、Ａ１とＣ１が重複して放送される８：３０〜８：５０においては割り込み番組であるＣ１が表示される。最後に、Ａ１のみが放送される８：５０〜９：００においてはＡ１が再度表示される。このように、長時間番組であるＡ１（基本番組）中に短時間番組であるＢ１とＣ１（割り込み番組）が挿入された形で表示が行われる。
【００２１】
この場合においては、割り込み番組が放送されない時間帯においては基本番組Ａ１は表示されるが、割り込み番組Ｂ１、Ｃ１が放送される時間帯においてはＢ１、Ｃ１がＡ１に代わって表示される。割り込み番組の放送が終了すると、再度基本番組Ａ１の表示が行われる。制御部１１は、放送受信部１２を制御してチャンネルの切り替えをこのように自動的に制御する。このため、この間に視聴者はチャンネルの切替を行う必要がない。
【００２２】
一般に、放送時間の長いバラエティ情報番組（Ａ１）においては、視聴者は特定のコーナーだけの視聴を希望する場合が多い。一方、連続ドラマ（Ｂ１）やニュース（Ｃ１）に対しては、その放送時間は短いが、そのうちの全部を視聴したい場合が多い。こうした場合において、図２（ｂ）のような視聴パターンを用いることにより、視聴者が視聴を希望する全ての場面を一つのチューナを用いて視聴することが可能となる。
【００２３】
図２の例においては、視聴予約された複数の番組のうち長時間の番組を基本番組とし、短時間の番組を割り込み番組とした。こうした場合においては、上記のように、基本番組中に割り込み番組を挿入させた形で表示する上記の視聴パターンを実行することは、特に有効である。一方、こうした場合において常に番組単位でしか視聴や録画することのできない従来の技術においては、Ａ１を視聴予約した場合には、Ｂ１、Ｃ１を視聴することは不可能であった。
【００２４】
図３は、図２とは異なる場合における視聴の具体的状況（第２の例）を示す。図３（ａ）に示されるように、Ａ局では７：００〜９：００において野球中継Ａ２が放送される。ただし、試合の状況によってはその放送終了時刻は最大１１：３０まで延長される場合がある。一方、Ｂ局では９：００〜１１：００まで映画Ｂ２が放送される。Ａ２とＢ２の放送時間は少なくとも９：００〜１０：００の間は重複する。この番組Ａ２とＢ２を共に視聴希望である場合の視聴パターンについて以下に説明する。
【００２５】
こうした場合において、どのような視聴パターンとするかは、視聴者の嗜好に応じて設定される。ここでは、
（１）Ｂ２（映画）を優先的に視聴したい。Ａ２（野球中継）をその放送開始時から視聴したいが、Ｂ２（映画）の放送が開始されたら最後までＢ２を見たい。ただし、Ａ２が延長となり、Ｂ２の放送終了時にまだＡ２を放送していたらまたＡ２を見たい。
（２）Ａ２（野球）を優先的に視聴したい。Ｂ２の放送開始までは当然Ａ２を視聴するが、Ｂ２の放送が開始してからも、ずっとＡ２を見たい。Ｂ２（映画）は、Ａ２の放送が予定通りの時刻あるいはこれに近い時刻に終了し、かつＢ２がまだ放送されていた場合においてのみ視聴すればよい。
の２種類の嗜好が考えられる。
【００２６】
（１）の要求に対応するには、Ａ２を基本番組、Ｂ２を割り込み番組として設定すればよい。この場合において、Ａ２が延長されなかった場合（あるいは延長はされたが１１：００までに終了した場合）の視聴パターンが視聴パターン１（図３（ｂ））である。この設定の場合に、Ａ２が１１：３０まで延長された場合の視聴パターンが視聴パターン２（図３（ｃ））である。これらの場合には、共にＢ２は欠損なく視聴することができ、かつＡ２はＢ２と重複しない時間帯では視聴でき、上記の（１）の要求が満たされていることが明らかである。
【００２７】
（２）の要求に対応するには、Ｂ２を基本番組、Ａ２を割り込み番組として設定すればよい。この場合において、Ａ２が延長されなかった場合の視聴パターンが視聴パターン３（図３（ｄ））であり、Ａ２が１０：３０まで延長された場合の視聴パターンが視聴パターン４（図３（ｅ））である。Ａ２が最大の１１：３０まで延長された場合の視聴パターンが視聴パターン５（図３（ｆ））である。視聴パターン５においては結局Ｂ２は全く視聴できないが、視聴パターン３〜５のどの場合においても、上記の（２）の要求が満たされていることは明らかである。
【００２８】
一方、こうした場合において常に番組単位でしか視聴（録画）予約することのできない従来の技術においては、視聴パターン５以外の実現は困難である。特に、視聴パターン２のように、Ａ２の中にＢ２が挿入された視聴パターンを実現することはできない。このため、（１）の要求に充分対応することができない。
【００２９】
また、図３と同様の番組構成において、野球中継Ａ３の開始時刻が映画Ｂ３の開始時刻よりも遅い場合（第３の例）について、同様に図４（ａ）に示す。この場合において、（１）の要求に対応してＡ３を基本番組、Ｂ３を割り込み番組に設定し、Ａ３が延長となった場合の視聴パターンが図４（ｂ）である。この視聴パターンにおいては、Ｂ３の全てとＡ３の延長部分が視聴できる。一方、こうした場合において常に番組単位でしか視聴予約することのできない従来の技術においては、Ｂ３を視聴予約する場合には、Ａ３の延長の有無に関わらずＡ３を視聴することは不可能である。
【００３０】
また、上記の例では、一つの番組を基本番組、これと放送時間帯に重複がある他の番組を割り込み番組と設定したが、同一番組であっても組み合わせに応じてその設定を変えることもできる。すなわち、第１の番組と第２の番組が重複し、かつ第１の番組と第３の番組とが別の時間帯で重複する場合、第２の番組に対しては第１の番組を基本番組（第２の番組を割り込み番組）とし、第３の番組に対しては第１の番組を割り込み番組（第３の番組を基本番組）と設定することも可能である。
【００３１】
図５は、こうした場合の具体例（第４の例）である。図５（ａ）の例においては、図２（ａ）の場合と異なり、Ｃ４の放送開始時刻がＡ４の放送終了時刻直前であり、Ｃ４はＡ４の放送終了後にもまだ放送されているものとする。一方、Ａ４とＢ４の関係は図２（ａ）の場合におけるＡ１とＢ１と同様である。この場合において、視聴者は、Ｃ４の視聴を希望するが、その視聴はＡ４の放送終了後からでよいと希望しているものとする。一方、図２の場合と同様に、Ａ４が放送されている時間帯であっても、Ｂ４が放送されている間はＡ４に代わりＢ４の視聴を希望しているものとする。
【００３２】
こうした場合においては、Ａ４とＢ４の関係においては、Ａ４を基本番組、Ｂ４を割り込み番組とする。一方、Ａ４とＣ４の関係においては、Ａ４を割り込み番組、Ｃ４を基本番組とする。すなわち、Ａ４はＢ４との関係においては基本番組とされるが、Ｃ４との関係においては割り込み番組とされる。この設定によって実現される視聴パターンが図５（ｂ）である。この設定によって上記の視聴者の希望通りの視聴パターンが実現できる。こうした場合において常に番組単位でしか視聴予約することのできない従来の技術においては、Ａ４を視聴予約する場合には、Ｂ４、Ｃ４を視聴することは不可能であることは図２の場合と同様である。
【００３３】
このように、上記の構成により、このテレビジョン受像機１０においては、放送時間が重複する２つの番組の視聴予約を、状況に応じて柔軟に行うことができる。
【００３４】
なお、上記の例において、特許文献１に記載の技術と同様に、例えば割り込み番組が何らかの原因で放送中止となった場合には、その選局を中止し、代わって基本番組の選局を行わせることもできる。
【００３５】
次に、このテレビジョン受像機１０において実際に利用者が視聴予約を行なう際の動作について説明する。図６は、このテレビジョン受像機１０において視聴予約を実行する際の制御のフローチャートである。この場合には、上記の通りに設定された視聴パターンを利用者が実際に確認し、これによって基本番組と割り込み番組を設定できることができる。
【００３６】
まず、制御部１１は、ＥＰＧ情報を用いて番組表を表示部１３に表示させ、視聴者に、この中のどの番組の視聴予約をするかを全て選択させる（視聴番組選択工程：Ｓ１）。この指定は、例えば視聴者がリモコン送信機における十字キー等を用いて番組表の中で行うことができる。
【００３７】
視聴希望の全ての番組の選択が終了したら、制御部１１は、選択された番組間で放送時間帯が重複する組み合わせがあるか否かを判定する（重複判定工程：Ｓ２）。ここでは、制御部１１は放送時間帯が重複する組み合わせを全て見つけだし、どの時間帯で重複するかも認識する。この際、例えば図３における番組Ａ２（野球中継）のように、放送が延長される可能性があり、延長された場合に重複する可能性がある組み合わせも、この組み合わせとして認識することができる。この場合には、この番組において最長時間の延長がなされたものとして取り扱うことができる。放送時間帯が重複する組み合わせが存在しなければ、処理を終了する（Ｓ１０）。
【００３８】
放送時間帯が重複する組み合わせが存在した場合、制御部１１は、この組み合わせの対象となる番組名等、この番組に関する情報を表示部１３で表示させる（重複番組表示工程：Ｓ３）。
【００３９】
次に、制御部１１は、ここで表示された重複を解消するように予約をやり直すか否かを視聴者に決定させる（Ｓ４）。視聴者が重複を解消することを希望する場合には、再び視聴番組選択工程（Ｓ１）を実行する。
【００４０】
重複を解消しない（Ｓ４）場合、制御部１１は、この組み合わせ中の番組について、基本番組、割り込み番組の設定を利用者に行わせる（優先順位設定工程：Ｓ５）。この設定も、表示部１３の画面を見て、利用者がリモコン送信機を用いて行うことができる。この際、図２の例のように、一つの番組の放送時間が長く、他の番組の放送時間がこの番組の放送時間内に含まれる場合には、この放送時間の長い番組を基本番組、他の番組を割り込み番組として、デフォールトで設定することもできる。また、図５の例のように放送時間帯が重複する組み合わせが複数ある場合には、組み合わせ毎にこの設定を行わせることもできる。
【００４１】
次に、制御部１１は、この設定によって得られる視聴パターン（例えば図２（ｂ））を、表示部１３に表示させる（視聴パターン表示工程：Ｓ６）。視聴者は、これを見て、基本番組と割り込み番組の設定が適正であったか否かを認識することができる。なお、視聴予約される番組の中に延長される可能性がある番組がある場合には、延長された場合の視聴パターンも表示させることができる。
【００４２】
視聴者が、表示された視聴パターンが適正でないと判定した場合（Ｓ７）には、優先順位設定工程（Ｓ５）を再度行わせることができる。この視聴パターンが適正であると判定した場合には、制御部１１は、この設定された情報を記憶部１４に記憶させ、処理は終了となる（Ｓ１０）。
【００４３】
その後、制御部１１は、記憶部１４に記憶されたこの情報に基づき、放送受信部１２を時刻通りに制御し、視聴パターンに従って選局動作を放送受信部１２に行わせ、画像信号等を表示部１３で出力させる。これにより、視聴者は、予約された視聴パターンに従って番組を視聴することができる。
【００４４】
ここで、視聴者に番組を選択させる際に、番組表中で番組を選択させる代わりに、チャンネル（放送局）と視聴開始時刻、視聴終了時刻を設定させることもできる。この場合においては、視聴者が番組の重複を認識することは容易であり、チャンネル、視聴開始時刻、視聴終了時刻の設定を適宜行うことによって、図２等の視聴パターンを実現することも可能である。しかしながら、この場合には、チャンネルの切り替え時刻（図２においては７：００、８：００、８：１５、８：３０、８：５０、９：００）に対応してこの設定を行うことが必要となる。これに対して、上記の制御方法によれば、視聴予約する番組（Ａ１、Ｂ１、Ｃ１）の選択と、基本番組、割り込み番組の設定だけでこの視聴パターンを設定することができる。この際、上記の制御方法では手間のかかる時刻の設定は不要となるため、簡便な操作だけでこの視聴パターンを設定することが可能である。また、図３の例のように、放送終了時間が不定の番組がある場合には、こうした時刻の設定を行うことが困難である場合もあるのに対して、上記の制御方法では、こうした場合にも適宜チャンネルの切替が行われる。
【００４５】
なお、上記の例では、同一時刻において放送時間帯が重複する番組の数が２つであるものとした。これに対して、同一時刻において３つ以上の番組の放送が重複することもありうる。こうした場合には、優先順位設定工程（Ｓ４）において、上記の基本番組、割り込み番組の設定以外に、更に割り込み番組を複数段階に分け、各段階に応じた優先度を付与することができる。ただし、こうした場合においては、優先順位が低い番組が選択される可能性は非常に低くなるため、重複番組表示工程（Ｓ３）でその旨を表示し、３つ以上の番組が重複しないように視聴番組選択工程（Ｓ１）を再度行わせることもできる。
【００４６】
なお、上記においては、放送受信部と表示部とを具備するテレビジョン受像について記載したが、放送受信部は具備するが表示部を別体とした構成であっても同様の効果を奏することは明らかである。このため、ここではこうした構成もテレビジョン受像機に包含されるものとする。
【符号の説明】
【００４７】
１０  テレビジョン受像機
１１  制御部
１２  放送受信部
１３  表示部
１４  記憶部
【図１】
2013132000.tif 000003
【図２】
2013132000.tif 000004
【図３】
2013132000.tif 000005
【図４】
2013132000.tif 000006
【図５】
2013132000.tif 000007
【図６】
2013132000.tif 000008